(57)【要約】【課題】首の後ろで複雑な作業をこなせない着用者が、自力で確実に、かつ、簡単に係止着用でき、しかも、首を圧迫しない自立支援エプロンにおいて、着用者の喉元を覆う事が出来、かつ、エプロン本体と係止部との分離が容易に出来る自立支援エプロンを提供する。【解決手段】エプロン本体と係止部とからなる自立支援エプロンにおいて、柔軟なシート材からなるエプロン本体は、係止部と一体化する為の収容部を有し、係止部は、首掛け部と挿入部、接続部および連結部とからなる棒状体と、該棒状体の両端部および連結部に一体的に設けた握り部および開口部およびそれらが形成する首嵌入部とからなり、収容部は、その両端部に、握り部を嵌入通過させるに十分な大きさの開口を有する、柔軟なシート材からなる袋状の収容部とし、該収容部をエプロン本体の上端から離して設ける事によって、エプロン本体上部に喉隠しを形成する。【選択図】    図1
0003143238.tif 000002
【実用新案登録請求の範囲】
【請求項１】
着用者の身体の少なくとも前面側を覆う、柔軟なシート材からなるエプロン本体と、該本体を着用者の首に係止する係止部とからなる自立支援エプロンにおいて、エプロン本体は、係止部と一体化する為の収容部を有し、係止部は、首掛け部と挿入部、接続部および連結部とからなる棒状体と、該棒状体の両端部および連結部に一体的に設けた握り部および開口部およびそれらが形成する首嵌入部とからなり、収容部は、その両端部に、握り部を嵌入通過させるに十分な大きさの開口を有する、柔軟なシート材からなる袋状の収容部とし、該収容部をエプロン本体の上端から離して設ける事によって、エプロン本体上部に喉隠しを形成する事を特徴とする自立支援エプロン。
【考案の詳細な説明】
【技術分野】
【０００１】
本考案は、手を頭頂部まで上げられない、後頭部に回せない、また、片手しか使えないなどのハンディキャップを持ち、首の後ろで複雑な作業をこなせない着用者が、自力で確実に、かつ、簡単に係止着用でき、しかも、首を圧迫しない自立支援エプロンに関するものである。
【背景技術】
【０００２】
エプロンはごく一般的な防汚器具であり、様々な場面で使われているが、家庭や病院、介護施設および乳幼児施設などにおいては、食事の際の食べこぼしによる衣服やテーブル、床などの汚れを防ぐ目的で頻繁に使われている。
【０００３】
これらのエプロンは、布など柔軟なシート材からなるエプロン本体と係止部とからなるが、その多くは首に係止して着用する物であり、その係止は、エプロン本体の上部に取り付けた紐を結ぶ方法、面ファスナーで接着する方法、ボタンで止める方法、また、輪にした紐に頭を通す方法などで行われる。しかし、これらの方法は、いずれも頭頂部や後頭部を通過させ、首の後ろで係止作業を行う方法であり、その作業は健常者にとっても煩わしい物であり、ましてや、ハンディキャップを持ち、首の後ろで複雑な作業をこなせない多くの着用者にとっては極めて困難な作業である。したがって、前記着用者は、自力で着用したくともできず、できたとしても多くの時間を要するので、結局介護者に着けてもらっているのが実情である。
【０００４】
そこで、前述の困難を改善する物として、係止にプラスチック等の弾性復元力を利用する発明もなされているが、両手操作が必要である事や首の締め付け過ぎの問題、弾性の減衰の問題等諸問題が解決されておらず、係止の容易性や確実性、また、拘束性や耐久性において、実用とするには、今一歩であるといわざるを得ない。
【０００５】
そこで、そうした諸問題を解決する為に、自立支援エプロン（特願２００７−０８０５８５）が発明されている。この特願になる自立支援エプロン１０１は、図５に示すように、着用者の身体の少なくとも前面側を覆う、柔軟なシート材からなるエプロン本体１０２と、該本体を着用者の首に係止する係止部１０３とからなり、エプロン本体１０２は、係止部１０３と一体化する為の収容部１２３を有する。係止部１０３は、首掛け部１３１と挿入部１３２、接続部１３３および連結部１３４とからなる、全体として剛性を有する軽量な棒状体１３５と、該棒状体の両端部および連結部１３４に一体的に設けた握り部１３６Ａ、１３６Ｂ、１３６Ｃおよび開口部１３７、および、それらが形成する首嵌入部１３８とからなる。係止着用は、握り部１３６Ｃを片手で持ち、開口部１３７から首を首嵌入部１３８に嵌入させた後、首掛け部１３１を後頚部に当接させ、挿入部１３２が胸元に来るようにすれば完了する。
【０００６】
したがって、前述のようなハンディキャップを持つ着用者が、自力で、片手の胸元だけの動きで、容易かつ確実に係止着用出来る。また、握り部１３６Ｂがねじ等で一体化されているので、取り外せば、エプロン本体１０２と係止部１０３とを容易に分離する事が出来る。また、開口部１３７は首の太さより広く、また、首嵌入部１３８が首の太さに対して十分大きいので、首を締め付ける事はなく、係止部１０３が全体として剛体であるので弾性劣化の問題もなく、係止に弾性復元力を利用する発明を含む他の発明に比して、係止の容易性や確実性、また、拘束性や耐久性において、優れていることは明白である。
【０００７】
しかしながら、この自立支援エプロン１０１には二つの問題がある。一つ目は、図５に示すように着用した時、収容部１２３の上に位置する喉元や衿元を覆う事が出来ない点である。これは、係止部１０３が全体として剛体であるので、開口部１３７を首の太さ以上に開口させておかねばならない事と、収容部１２３がエプロン本体上端１２１に設けられている事とに起因している。この問題点は、口からの食べこぼしが多い場合に、着用者の首や衿元を汚す原因となるものである。
【０００８】
二つ目の問題は、エプロン本体１０２と係止部１０３との分離一体化に手間がかかり過ぎる点である。これは、収容部１２３が握り部１３６Ｂより小さく形成されているので、分離一体化の際、挿入部１３２にねじ等で取り付けられている握り部１３６Ｂの取り付け、取り外しを、毎回繰り返さなければならない事に起因している。なお、この発明においては、収容部１２３を面ファスナーやホックで開閉できるようにして分離一体化する例も提案されているが、これも手間がかかる事において大差無いといわなければならない。この問題点は、エプロン本体１０２の洗浄が頻繁に行われる介護施設などでの使用において、特に問題となる所である。
【特許文献１】特願２００７−０８０５８５号
【考案の開示】
【考案が解決しようとする課題】
【０００９】
本考案は、以上のような問題点に鑑みてなされたものであって、様々なハンディキャップを持ち、首の後ろで複雑な作業をこなせない着用者が、自力で、片手の胸元だけの動きで、容易かつ確実に係止着用でき、しかも、首を圧迫しないという、特願２００７−０８０５８５による自立支援エプロンの優れた特徴を損なう事なく、着用者の喉元や衿元を覆う事が出来、かつ、エプロン本体と係止部との分離一体化が容易に、しかも、短時間で出来る自立支援エプロンの提供を目的とするものである。
【課題を解決するための手段】
【００１０】
前記目的を達成する為に、本考案は、着用者の身体の少なくとも前面側を覆う、柔軟なシート材からなるエプロン本体と、該本体を着用者の首に係止する係止部とからなる自立支援エプロンにおいて、エプロン本体は、係止部と一体化する為の収容部を有し、係止部は、首掛け部と挿入部、接続部および連結部とからなる棒状体と、該棒状体の両端部および連結部に一体的に設けた握り部および開口部およびそれらが形成する首嵌入部とからなり、収容部は、その両端部に、握り部を嵌入通過させるに十分な大きさの開口を有する、柔軟なシート材からなる袋状の収容部とし、該収容部をエプロン本体の上端から離して設ける事によって、エプロン本体上部に喉隠しを形成する。（請求項１）
【考案の効果】
【００１１】
請求項１の考案によれば、自立支援エプロンは、着用者の身体の少なくとも前面側を覆う柔軟なシート材からなるエプロン本体と、該本体を着用者の首に係止する係止部とからなり、エプロン本体は係止部と一体化する為の収容部を有し、係止部は、首掛け部と挿入部、接続部および連結部とからなる棒状体と、該棒状体の両端部および連結部に一体的に設けた握り部および開口部およびそれらが形成する首嵌入部とからなるので、係止着用は、握り部を片手で持ち、開口部から首を首嵌入部に嵌入させた後、首掛け部を後頚部に当接させ、挿入部が胸元に来るようにすれば完了する。したがって、前述のようなハンディキャップを持つ着用者が、自力で、片手の胸元だけの動きで、容易かつ確実に着用出来る。また、開口部は首の太さより広く、また、首嵌入部が首の太さに対して十分大きいので、首を締め付ける事はなく、また、係止部が全体として剛体であるので弾性劣化の問題もなく、係止に弾性復元力を利用する発明を含む他の発明に比して、係止の容易性や確実性、また、拘束性や耐久性において優れている、特願２００７−０８０５８５による自立支援エプロンの特徴を損なう事はない。
【００１２】
また、収容部をエプロン本体の上端から離す事によって、エプロン本体上部に喉隠しを形成するので、着用者の喉元や衿元を確実に覆う事が出来、衣服を汚す事がない。また、喉隠しは柔軟なシート材からなるので、首を嵌入する際の妨げとなる事もない。なお、口元から液状の物を食べこぼすような着用者の為には、吸水性と防水性とを併せ持つ、柔軟なシート材で喉隠しを長く形成して衿元に巻き込めば、汚れを防ぐ事が出来る。
【００１３】
また、収容部は、その両端部に、握り部を嵌入通過させるに十分な大きさの開口を有する、柔軟なシート材からなる袋状の収容部であるので、エプロン本体と係止部との分離一体化の際、握り部の取り付け、取り外しが不要である。また、柔軟なシート材からなる収容部は、握り部に合わせて自由に形状を変えられるので、握り部の通過が容易であり、分離一体化が極めて短時間で出来る。したがって、エプロン本体の洗浄が頻繁に行われる介護施設などでの使用にも十分対応出来る。
【００１４】
また、収容部は柔軟なシート材からなるので、着用時にはエプロン本体に倣ってフラット状を呈するので、食事の妨げとならない。また、エプロン本体は挿入部に吊り下げられた状態になる上、収容部の両端が、握り部と挿入部との適度な段差によって、横ずれを止められるので、エプロン本体と係止部とが不用意に分離する事はない。
【００１５】
なお、係止中にエプロン本体を引っ張られる場合などの不測の事態に対しては、係止部の一部、特に、首掛け部や挿入部の一部もしくは全体を、プラスチックのパイプやコイルスプリングなどからなる、係止部の形状を維持できる、適度な弾性体で形成するか、もしくは、変形しやすい金属棒などで形成し、過度な力が加わった時には変形して、係止部が首から外れるように構成して、安全性を高める事もできる。
【００１６】
また、シート材としては、撥水生地やビニール生地、アクリルコーティングのポリエステルツイル生地等を使用すれば防水性が得られる。また、エプロン本体をテーブルの上にまで広げて使う場合には、少なくとも該本体の下部に、ゴムやＰＶＣ、アクリルポリーマー等による滑り止め加工を施したこれらの生地を使用すれば滑り落ちる事がない。また、特に図示しないが、エプロン本体両側にスナップボタンや面ファスナーなどの係止部品を取り付けて、食べこぼしがエプロンの外にこぼれ出さないよう、カマス状に止められるようにしてもいい事は当然である。
【００１７】
以上、本考案によれば、様々なハンディキャップを持ち、首の後ろで複雑な作業をこなせない着用者が、自力で、片手の胸元だけの動きで、容易かつ確実に係止着用出来、しかも、首を圧迫しないという、特願２００７−０８０５８５による自立支援エプロンの優れた特徴を損なう事なく、着用者の喉元や衿元を覆う事が出来、かつ、エプロン本体と係止部との分離一体化が容易に、しかも、短時間で出来る、自立支援エプロンを提供する事が出来る。
【考案を実施するための最良の形態】
【００１８】
以下、図面に基づき本考案の最良の実施形態について述べる。なお、以下に述べる実施の形態は、本考案の最良の具体例であるから、技術的に好ましい限定がなされているが、本考案の範囲は、以下の説明において特に本考案を限定する旨の記載がない限り、これらの態様に限られるものではない。
【００１９】
まず、図１および図２および図３において、自立支援エプロン１は、着用者の身体の少なくとも前面側を覆うエプロン本体２と該エプロン本体を着用者の首に係止する係止部３とからなる。
【００２０】
エプロン本体２は、柔軟なシート材とし、収容部２３をエプロン本体上端２１から離して形成する事によって、エプロン本体２上部に喉隠し２２を形成する。喉隠し２２の高さは通常４〜６センチとするが、衿元に巻き込んで使用する場合は、１０数センチにする事が望ましい。また、エプロン本体２をテーブルの上にまで広げて使用する場合には、少なくとも該本体の下部に、ゴムやＰＶＣの斑点やアクリルポリーマー等による滑り止め加工２５を施す。また、特に図示しないが、食べこぼしがエプロンの外にこぼれ出さないよう、エプロン本体両側にスナップボタンや面ファスナーなどの係止部品を取り付けて、図４に示すポケット２４を展開可能に形成する。
【００２１】
収容部２３は、その両端部に、握り部３６Ｂを嵌入通過させるに十分な大きさの開口を有する、柔軟なシート材からなる袋状の収容部とする。
【００２２】
係止部３は、首掛け部３１と挿入部３２、接続部３３および連結部３４とからなる棒状体３５と、該棒状体の両端部および連結部３４に一体的に設けた握り部３６Ａ、３６Ｂ、３６Ｃおよび開口部３７およびそれらが形成する首嵌入部３８とからなる。
【００２３】
首掛け部３１は、「へ」の字状を呈する直径６ｍｍ程度の棒体である。挿入部３２は、首掛け部３１に対向して設けられた直径６ｍｍ程度の棒体であり、必要に応じて逆「へ」の字状に形成する。接続部３３は、首掛け部３１と挿入部３２とを接続する為に、首掛け部３１から斜めに伸びる直径６ｍｍ程度の棒体である。棒状体３５は、全体として、適度な剛性を有する樹脂やアルミや木など、軽量なパイプ材で形成する事が望ましいが、これに限定するものではない事は当然である。なお、連結部３４は、挿入部３２と接続部３３との突合せ部を指す。
【００２４】
握り部３６Ａおよび３６Ｂはそれぞれ、１つの挿入穴を有する球体で、首掛け部３１および挿入部３２の端部が挿入され、一体的に固定されている。握り部３６Ｃは、略直行する２つの挿入穴を有する球体で、挿入部３２および接続部３３の端部が挿入され、一体的に固定されている。なお、握り部３６Ａ、３６Ｂ、３６Ｃが適度な大きさの球体である事は、握り易さと安全性を考慮しての事であり、球体に限らず、握り易い多角体であっても良い事は当然であり、その直径は３センチ程度が望ましく、挿入部３２との直径の差が２センチ以上ある事が望ましい。また、これら握り部は、木やアルミもしくはプラスチックなどの中空体にすることが望ましいが、むく材であってもいい事は当然である。
【００２５】
開口部３７は、握り部３６Ａと３６Ｂとが形成する開口であるが、着用者の首の太さより広く形成する。首嵌入部３８は、棒状体３５と握り部３６Ａ、３６Ｂ、３６Ｃ、および開口部３７が形成する略五角形の空間で、首を嵌入した状態で係止部３を自在に回せる程十分大きく構成する。なお、首嵌入部３８の空間は前述の五角形に限定するものでない事は言うまでもない所である。
【００２６】
なお、係止部３の各部位を布などで包んだり、塗装や漆塗りなどを施したり、エプロン本体２についても、プリント地を使用したり、刺繍を施したりして、自立支援エプロン１全体の装飾性を高める事は、当然考えられる所である。
【００２７】
また、係止部３の一部、特に、首掛け部３１や挿入部３２の一部もしくは全体を、プラスチックのパイプやコイルスプリングなどからなる、係止部３の形状を維持できる、適度な弾性体で形成するか、もしくは、変形し易い金属棒等で形成し、過度の力が加わった時には変形して、首から外れるように構成して、安全性を高める事も、当然考えられる所である。
【００２８】
着用の形態は、図４に示すが、係止は、握り部３６Ｃを片手で持ち、開口部３７から首を首嵌入部３８に嵌入させた後、首掛け部３１を後頚部に当接させ、挿入部３２が胸元に来るようにすれば完了するので、片手の胸元だけの動きで、確実に着用出来る。また、外す時は、逆にすれば容易に外す事ができる。なお、開口部３７は首より広く形成してあるので、首の嵌入は自在である。また、首掛け部３１が「へ」の字状を呈するので、後頚部にピッタリとフィットして安定する。また、首嵌入部３８は十分大きいので、首が圧迫される事もない。また、握り部３６Ｃが適度な大きさであるので、握り易く、操作し易い。
【００２９】
また、収容部２３は、その両端部に、握り部３６Ｂを嵌入通過させるに十分な大きさの開口を有する、柔軟なシート材からなる袋状の収容部であるので、エプロン本体２と係止部３との分離一体化の際、握り部３６Ｂの取り付け、取り外しが不要である。また、柔軟なシート材からなる収容部２３は、握り部３６Ｂに合わせて自由に形状を変えられるので、握り部３６Ｂの通過が容易であり、分離一体化が極めて短時間で出来る。したがって、エプロン本体２の洗浄が頻繁に行われる介護施設などでの使用にも十分対応出来る。
【００３０】
また、エプロン本体２は挿入部３２に吊り下げられた状態になる上、収容部２３の両端が、握り部３６Ｂ、３６Ｃと挿入部３２との間の適度な段差によって、横ずれを止められるので、エプロン本体２と係止部３とが不用意に分離する事はない。また、喉隠し２２がエプロン本体２と同じく、柔軟なシート材からなるので、首の嵌入時に邪魔になる事はなく、着用者の喉元や衿元をしっかりと覆う事が出来る。また、収容部２３は柔軟なシート材からなるので、着用時にはエプロン本体２に倣ってフラット状を呈するので、食事の妨げとならない。
【００３１】
以上、本考案の一実施例は上述の構成になるので、様々なハンディキャップを持ち、首の後ろで複雑な作業をこなせない着用者が、自力で、片手の胸元だけの動きで、容易かつ確実に、係止着用でき、しかも、首を圧迫しないという、特願２００７−０８０５８５による自立支援エプロンの優れた特徴を損なう事なく、着用者の喉元や衿元を覆う事が出来、かつ、エプロン本体と係止部との分離一体化が容易に、しかも、短時間で出来る自立支援エプロンを提供する事が出来る。
【図面の簡単な説明】
【００３２】
【図１】本考案の自立支援エプロンの一実施例を示す正面図である。
【図２】本自立支援エプロンの係止部を中心とした正面部分断面図である。
【図３】本自立支援エプロンの係止部を中心とした側面部分断面図である。
【図４】本自立支援エプロンの着用形態を示す図である。
【図５】従来の自立支援エプロンの着用形態を示す図である。
【符号の説明】
【００３３】
１      自立支援エプロン
２      エプロン本体
３      係止部
２１    エプロン本体上端
２２    喉隠し
２３    収容部
２４    ポケット
２５    滑り止め
３１    首掛け部
３２    挿入部
３３    接続部
３４    連結部
３５    棒状体
３６Ａ  握り部
３６Ｂ  握り部
３６Ｃ  握り部
３７    開口部
３８    首嵌入部
【図１】
0003143238.tif 000003
【図２】
0003143238.tif 000004
【図３】
0003143238.tif 000005
【図４】
0003143238.tif 000006
【図５】
0003143238.tif 000007
【手続補正書】
【提出日】平成20年3月24日(2008.3.24)
【手続補正１】
【補正対象書類名】実用新案登録請求の範囲
【補正対象項目名】請求項１
【補正方法】変更
【補正の内容】
【請求項１】
着用者の身体の少なくとも前面側を覆う、柔軟なシート材からなるエプロン本体と、該本体を着用者の首に係止する係止部とからなる自立支援エプロンにおいて、エプロン本体は、係止部と一体化する為の収容部を有し、係止部は、首掛け部と挿入部、接続部および連結部とからなる棒状体と、握り部、開口部および首嵌入部とからなる。首掛け部は、嵌まり込んだ首（後頚部）にフィットする「へ」の字状の棒体であり、該首掛け部に対向して設けられた挿入部は、前記収容部に挿入されてエプロン本体と離脱可能に一体化する直線状の棒体である。接続部は、首掛け部と挿入部とを接続する為に首掛け部の一端部から挿入部の一端部まで伸びる棒体であり、連結部は、該接続部と挿入部との突合せ部位であり、接続部と挿入部とは該部位において握り部によって一体的に連結されている。握り部は、前記棒状体よりも太い球状や多面体状を呈する握り部であり、前記棒状体の両端部および連結部に一体的に設けられている。開口部は、棒状体両端部の握り部が形成する開口で、首を通過させるに十分な大きさの開口であり、首嵌入部は、棒状体と握り部および開口部が形成する空間で、開口部から嵌まり込んだ首が自由に回せる程、十分大きく構成する。収容部は、その両端部に、握り部を嵌入通過させるに十分な大きさの開口を有する、柔軟なシート材からなる袋状の収容部であり、該収容部をエプロン本体の上端から離して設ける事によって、エプロン本体上部に喉隠しを形成する事を特徴とする自立支援エプロン。
【手続補正２】
【補正対象書類名】明細書
【補正対象項目名】００１０
【補正方法】変更
【補正の内容】
【００１０】
前記目的を達成する為に、本考案は、着用者の身体の少なくとも前面側を覆う、柔軟なシート材からなるエプロン本体と、該本体を着用者の首に係止する係止部とからなる自立支援エプロンにおいて、エプロン本体は、係止部と一体化する為の収容部を有し、係止部は、首掛け部と挿入部、接続部および連結部とからなる棒状体と、握り部、開口部および首嵌入部とからなる。首掛け部は、嵌まり込んだ首（後頚部）にフィットする「へ」の字状の棒体であり、該首掛け部に対向して設けられた挿入部は、前記収容部に挿入されてエプロン本体と離脱可能に一体化する直線状の棒体である。接続部は、首掛け部と挿入部とを接続する為に首掛け部の一端部から挿入部の一端部まで伸びる棒体であり、連結部は、該接続部と挿入部との突合せ部位であり、接続部と挿入部とは該部位において握り部によって一体的に連結されている。握り部は、前記棒状体よりも太い球状や多面体状を呈する握り部であり、前記棒状体の両端部および連結部に一体的に設けられている。開口部は、棒状体両端部の握り部が形成する開口で、首を通過させるに十分な大きさの開口であり、首嵌入部は、棒状体と握り部および開口部が形成する空間で、開口部から嵌まり込んだ首が自由に回せる程、十分大きく構成する。収容部は、その両端部に、握り部を嵌入通過させるに十分な大きさの開口を有する、柔軟なシート材からなる袋状の収容部であり、該収容部をエプロン本体の上端から離して設ける事によって、エプロン本体上部に喉隠しを形成する。（請求項１）
【手続補正３】
【補正対象書類名】明細書
【補正対象項目名】００１１
【補正方法】変更
【補正の内容】
【００１１】
請求項１の考案によれば、自立支援エプロンは、着用者の身体の少なくとも前面側を覆う、柔軟なシート材からなるエプロン本体と、該本体を着用者の首に係止する係止部とからなり、エプロン本体は、係止部と一体化する為の収容部を有し、係止部は、首掛け部と挿入部、接続部および連結部とからなる棒状体と、握り部、開口部および首嵌入部とからなる。首掛け部は、嵌まり込んだ首（後頚部）にフィットする「へ」の字状の棒体であり、該首掛け部に対向して設けられた挿入部は、前記収容部に挿入されてエプロン本体と離脱可能に一体化する直線状の棒体である。接続部は、首掛け部と挿入部とを接続する為に首掛け部の一端部から挿入部の一端部まで伸びる棒体であり、連結部は、該接続部と挿入部との突合せ部位であり、接続部と挿入部とは該部位において握り部によって一体的に連結されている。握り部は、前記棒状体よりも太い球状や多面体状を呈する握り部であり、前記棒状体の両端部および連結部に一体的に設けられている。開口部は、棒状体両端部の握り部が形成する開口で、首を通過させるに十分な大きさの開口であり、首嵌入部は、棒状体と握り部および開口部が形成する空間で、開口部から嵌まり込んだ首が自由に回せる程、十分大きく構成するので、係止着用は、開口部を顎の下に向けるように連結部の握り部を胸元で持ち、該開口部から首を首嵌入部に嵌入させた後、挿入部が胸元に来るように回し、首掛け部を後頚部に当接させれば完了する。したがって、前述のようなハンディキャップを持つ着用者が、自力で、片手の胸元だけの動きで、容易かつ確実に着用出来る。また、開口部は首の太さより広く、また、首嵌入部が首の太さに対して十分大きいので、首を締め付ける事はなく、また、係止部が全体として剛体であるので弾性劣化の問題もなく、係止に弾性復元力を利用する発明を含む他の発明に比して、係止の容易性や確実性、また、拘束性や耐久性において優れている、特願２００７−０８０５８５による自立支援エプロンの特徴を損なう事はない。
【手続補正４】
【補正対象書類名】明細書
【補正対象項目名】００１２
【補正方法】変更
【補正の内容】
【００１２】
また、収容部をエプロン本体の上端から離して設ける事によって、エプロン本体上部に喉隠しを形成するので、着用者の喉元や衿元を確実に覆う事が出来、衣服を汚す事がない。また、喉隠しは柔軟なシート材からなるので、首を嵌入する際の妨げとなる事もない。なお、口元から液状の物を食べこぼすような着用者の為には、吸水性と防水性とを併せ持つ、柔軟なシート材で喉隠しを長く形成して衿元に巻き込めば、汚れを防ぐ事が出来る。
【手続補正５】
【補正対象書類名】明細書
【補正対象項目名】００２３
【補正方法】変更
【補正の内容】
【００２３】
首掛け部３１は、嵌まり込んだ首（後頚部）にフィットする、直径６ｍｍ程度の「へ」の字状の棒体である。該首掛け部に対向して設けられた挿入部３２は、前記収容部に挿入されてエプロン本体２と離脱可能に一体化する直径６ｍｍ程度の直線状の棒体であり、必要に応じて逆「へ」の字状に形成する。接続部３３は、首掛け部３１と挿入部３２とを接続する為に、首掛け部の一端部から挿入部の一端部まで伸びる直径６ｍｍ程度の棒体である。連結部３４は、挿入部３２と接続部３３との突合せ部位であり、接続部と挿入部とは該部位において握り部３６Ｃによって一体化されている。なお、棒状体３５は、全体として、適度な剛性を有する樹脂やアルミや木など、軽量なパイプ材やむく材で形成する事が望ましいが、これに限定するものではない事は当然である。
【手続補正６】
【補正対象書類名】明細書
【補正対象項目名】００２４
【補正方法】変更
【補正の内容】
【００２４】
握り部３６Ａおよび３６Ｂはそれぞれ、１つの挿入穴を有する球体で、首掛け部３１および挿入部３２の端部が挿入され、一体的に固定されている。握り部３６Ｃは、略直行する２つの挿入穴を有する球体で、挿入部３２および接続部３３の端部が挿入され、一体的に固定されている。なお、握り部３６Ａ、３６Ｂ、３６Ｃが適度な大きさの球体である事は、握り易さと安全性を考慮しての事であり、球体に限らず、握り易い多面体であっても良い事は当然であり、その直径は３センチ程度が望ましく、挿入部３２との直径の差が２センチ以上ある事が望ましい。また、これら握り部は、木やアルミもしくはプラスチックなどの中空体にすることが望ましいが、むく材であってもいい事は当然である。
【手続補正７】
【補正対象書類名】明細書
【補正対象項目名】００２８
【補正方法】変更
【補正の内容】
【００２８】
着用の形態は、図４に示すが、係止着用は、開口部３７を顎の下に向けるように握り部３６Ｃを胸元で持ち、該開口部から首を首嵌入部３８に嵌入させた後、挿入部３２が胸元に来るように回し、首掛け部３１を後頚部に当接させれば完了するので、片手の胸元だけの動きで、確実に着用出来る。また、外す時は、逆にすれば容易に外す事ができる。なお、開口部３７は首より広く形成してあるので、首の嵌入は自在である。また、首掛け部３１が「へ」の字状を呈するので、後頚部にピッタリとフィットして安定する。また、首嵌入部３８は十分大きいので、首が圧迫される事もない。また、握り部３６Ｃが適度な大きさであるので、握り易く、操作し易い。
【手続補正書】
【提出日】平成20年4月30日(2008.4.30)
【手続補正１】
【補正対象書類名】実用新案登録請求の範囲
【補正対象項目名】全文
【補正方法】変更
【補正の内容】
【実用新案登録請求の範囲】
【請求項１】
着用者の身体の少なくとも前面側を覆う柔軟なシート材からなるエプロン本体と、該本体を着用者の首に係止する係止部とを備え、エプロン本体は、係止部と一体化する為の収容部を有し、係止部は、首掛け部と挿入部、接続部および連結部とからなる棒状体と、握り部、開口部および首嵌入部とからなり、首掛け部は、嵌まり込んだ首にフィットする「へ」の字状の棒体であり、該首掛け部に対向して設けられた挿入部は、前記収容部に挿入されてエプロン本体と離脱可能に一体化する直線状の棒体であり、接続部は、首掛け部と挿入部とを接続する為に首掛け部の一端部から挿入部の一端部まで伸びる棒体であり、連結部は、該接続部と挿入部との突合せ部位であり、接続部と挿入部とは該部位において握り部によって一体的に連結されており、握り部は、前記棒状体よりも太い球状や多面体状を呈する握り部であり、前記棒状体の両端部および連結部に一体的に設けられており、開口部は、棒状体両端部の握り部が形成する開口で、首を通過させるに十分な大きさの開口であり、首嵌入部は、棒状体と握り部および開口部が形成する空間で、開口部から嵌まり込んだ首が自由に回せる程、十分大きく構成しており、収容部は、その両端部に、握り部を嵌入通過させるに十分な大きさの開口を有する柔軟なシート材からなる袋状の収容部であり、該収容部をエプロン本体の上端から離して設けている事を特徴とする自立支援エプロン。
【手続補正２】
【補正対象書類名】明細書
【補正対象項目名】００１０
【補正方法】変更
【補正の内容】
【００１０】
前記目的を達成する為に、本考案は、着用者の身体の少なくとも前面側を覆う柔軟なシート材からなるエプロン本体と、該本体を着用者の首に係止する係止部とを備え、エプロン本体は、係止部と一体化する為の収容部を有し、係止部は、首掛け部と挿入部、接続部および連結部とからなる棒状体と、握り部、開口部および首嵌入部とからなり、首掛け部は、嵌まり込んだ首にフィットする「へ」の字状の棒体であり、該首掛け部に対向して設けられた挿入部は、前記収容部に挿入されてエプロン本体と離脱可能に一体化する直線状の棒体であり、接続部は、首掛け部と挿入部とを接続する為に首掛け部の一端部から挿入部の一端部まで伸びる棒体であり、連結部は、該接続部と挿入部との突合せ部位であり、接続部と挿入部とは該部位において握り部によって一体的に連結されており、握り部は、前記棒状体よりも太い球状や多面体状を呈する握り部であり、前記棒状体の両端部および連結部に一体的に設けられており、開口部は、棒状体両端部の握り部が形成する開口で、首を通過させるに十分な大きさの開口であり、首嵌入部は、棒状体と握り部および開口部が形成する空間で、開口部から嵌まり込んだ首が自由に回せる程、十分大きく構成しており、収容部は、その両端部に、握り部を嵌入通過させるに十分な大きさの開口を有する柔軟なシート材からなる袋状の収容部であり、該収容部をエプロン本体の上端から離して設ける。（請求項１）